(57)【要約】      （修正有）【課題】流れ出る汗を効率的に吸収するだけでなく、多孔質体層内部での気化熱により、額の熱を奪うことにより、熱中症対策としても使用できる熱吸収パッド付帽子を提供する。【解決手段】不織布、多孔質体層および粘着層からなり、かつ多孔質体層が不織布と粘着層とに挟持されてなる熱吸収パッドを備えた帽子であって、熱吸収パッドが、粘着層を介して帽子前面の内面下部に貼付される。【選択図】図１
0003130472.tif 000002
【実用新案登録請求の範囲】
【請求項１】
不織布、多孔質体層および粘着層からなり、かつ該多孔質体層が不織布と粘着層とに挟持されてなる熱吸収パッドを備えた帽子であって、
前記熱吸収パッドが、前記粘着層を介して帽子前面の内面下部に貼付されてなる
ことを特徴とする帽子。
【請求項２】
前記不織布の表面に冷感作用を有する香料が塗布されてなる請求項１記載の帽子。
【請求項３】
前記不織布の表面に吸熱作用を有する香料が塗布されてなる請求項１記載の帽子。
【請求項４】
前記不織布が疎水性を有する層と吸水性を有する層とからなる請求項１〜３のいずれか１項に記載の帽子。
【考案の詳細な説明】
【技術分野】
【０００１】
本考案は熱吸収パッド付帽子に関する。さらに詳しくは、不織布と多孔質体層と粘着層とから構成され、かつ該多孔質体層が不織布と粘着層とに挟持されてなる帯状の熱吸収パッドが、粘着層側を介して帽子前面の内面下部に貼付された帽子に関する。本考案において帽子とは、形状を問わず、ヘルメット・手術用帽子・サンバイザー・バンダナ等も含む概念である。
【背景技術】
【０００２】
従来熱中症対策としては、帽子をかぶったり、日陰に入ったり、水分を多めにとるといった手段しかなかった。熱中症は体温を調節する機能がコントロールを失い、体温がどんどん上昇してしまう機能障害である。湿度が低ければ汗をかくことで汗が蒸発するときの気化熱により熱が奪われ、体温を上手にコントロールすることができる。
【０００３】
しかし、真夏日や工場内のように、気温が高いばかりでなく、湿度も高くなると、汗をかいても流れ落ちるばかりでほとんど蒸発しなくなる。そのため、発汗による体温調節すら事実上できなくなってしまいそれが熱中症の原因となる。
【０００４】
そこで、通気構造を有する帽子をかぶることにより熱中症対策をしてきた。
【０００５】
また、熱中症対策以外にも、運動中や工場内での作業中に汗をかくことが多い。汗を拭いたりする手段としては、綿素材であるタオル、ハチマキ、ヘアバンド、バンダナ等がある。
【考案の開示】
【考案が解決しようとする課題】
【０００６】
しかしながら、熱中症対策として普通の帽子をかぶると、帽子をかぶらない場合に比べて効果は出るものの、帽子内部は蒸れることが多いことに加え、熱を下げる効果はない。このため、激しい運動をしているときに、水分補給や直射日光を避けることなどの熱中症に対する知識がほとんどない小学生は対処しきれないことが多い。
【０００７】
また、通気構造を有する帽子は、高価であるという難点に加え、通気構造を有する部分をいろいろな帽子につけかえることができないという問題点がある。
【０００８】
流れる汗に対しては、タオル等の綿素材のみでは汗の吸収力が少ない。またタオル等は汗が出たときに、適宜対応するものであり、激しい運動時や作業中には充分な対応ができない。
【０００９】
本考案は、流れ出る汗を効率的に吸収するだけでなく、多孔質体層内部での気化熱により、額の熱を奪うことにより、熱中症対策としても使用できる熱吸収パッド付帽子を提供することを目的とする。
【課題を解決するための手段】
【００１０】
本考案の熱吸収パッド付帽子は、不織布、多孔質体層および粘着層からなり、かつ該多孔質体層が不織布と粘着層とに挟持されてなる熱吸収パッドを備えた帽子であって、前記熱吸収パッドが、前記粘着層を介して帽子前面の内面下部に貼付されてなることを特徴としている。
【００１１】
また、前記不織布の表面に冷感作用を有する香料を塗布してもよい。
【００１２】
また、前記不織布の表面に吸熱作用を有する香料を塗布してもよい。
【００１３】
また、前記不織布が疎水性を有する層と吸水性を有する層とから構成することができる。
【考案の効果】
【００１４】
本考案の熱吸収パッド付帽子によれば、流れ出る汗を効率的に吸収するだけでなく、多孔質体層内部での気化熱により、額の熱を奪うことにより、熱中症対策にもなる。
【００１５】
また、本考案の熱吸収パッド付帽子を用いると、僅かな風と汗により、帽子のみの場合と比較して、約−２℃の優れた吸熱効果を奏する。
【００１６】
また、本考案の熱吸収パッド付帽子に採用される熱吸収パッドは、どのような帽子にも容易に取り付け取り外しが可能であり、帽子の前部、後部に貼着すれば、いっそうの効果を発揮するものである。
【００１７】
さらに、本考案の熱吸収パッド付帽子に採用される熱吸収パッドは、非常に安価な素材から製造することができ、そのうえ加工性が良いので製品化が容易である。
【考案を実施するための最良の形態】
【００１８】
本考案の熱吸収パッド付帽子Ｈは、不織布１０と多孔質体層２０と粘着層３０との三層から構成され、かつ多孔質体層２０が、不織布１０と粘着層３０とに挟持された帯状の熱吸収パッド１を備えており、当該帯状の熱吸収パッド１は、粘着層３０を介して帽子Ｈの前面Ｆの内面下部に貼付されている。
【００１９】
本実施の形態においては、不織布１０は二層構造を備えており、当該不織布１０の上層は汗を素早く吸収し、尚且つ汗の逆戻りを防止するため、常に乾燥状態に近い感覚を得ることが出来る役割をもち、材質としては、たとえばポリオレフィンが好適に採用されるが、その他ポリウレタンでも構わない。当該不織布１０の下層は汗を素早く吸収し、尚且つ多量の水を吸収する役割を持ち、材質としては、たとえばレーヨンが好適に採用されるが、その他パルプ・ＰＥＴ・ウレタンでも構わない。
【００２０】
不織布１０の表面には冷感を持たせるために、たとえばメントール、エリスリトールまたはキシリトール等の多糖類等、これらを組み合わせたものが塗布される。
【００２１】
不織布１０の目付は１００〜１２０ｇ／平方メートルが好ましい。不織布１０の厚さは０．５〜１．０ｍｍが好ましい。
【００２２】
多孔質体層２０は発生する気化熱により額部分の熱を奪うことにより額の温度を下げることができる。材質としては、通気性の観点から、たとえばウレタンが好適に採用されるが、その他ＮＢＲラテックス発泡体、ＰＶＡ発泡体、セルロース発泡体、その他高分子発泡体があり、天然の海綿、ヘチマ等でも構わない。
【００２３】
粘着層３０の材質としては、肌にやさしいものが好ましく、たとえば、ポリアクリルが好適に採用されるが、ゴム系・ウレタン系・シリコン系・エマルジョン系であってもよい。
【００２４】
図２に示されるように、帯状の熱吸収パッド１の粘着層３０の露出面には剥離紙４０を被着したものを別途用意しておけば、帽子の使用時に適宜取り付けられる。
【００２５】
大きさは、特に限定されないが、小学生の頭周長が平均５３５ｍｍであることを考慮して、その１／３が額と考えると、幅約２００ｍｍ程度がふさわしい（図６参照）。高さは約２０〜４０ｍｍが好ましい。厚さも特に限定されないが、４ｍｍ以下であると、加工が困難であり、厚すぎると帽子の装着感が悪くなるため、５ｍｍ程度がふさわしい。
【００２６】
以下に、本考案の熱吸収パッド付帽子を実施例にもとづいて説明するが、本考案は実施例に限定されるものではない。
【実施例】
【００２７】
実験データ
試験条件１：風のない状態で、桐灰作業帽子を着用し、温度３５℃および湿度５０〜６０％（熱中症が発生しやすい危険領域）に設定し、霧吹きにて帽子および不織布部に水を１ｍｌ噴霧し（汗をかいたときとしての擬似的設定）、その後、温度試験を行った。測定結果を図３と表１に示す。
【００２８】
【表１】
0003130472.tif 000003
【００２９】
試験条件２：屋外での使用を考慮し、２ｍ／ｓ程度の風を当てた状態で、桐灰作業帽子を着用し、温度３５℃および湿度５０〜６０％（熱中症が発生しやすい危険領域）に設定し、霧吹きにて帽子および不織布部に水を１ｍｌ噴霧し（汗をかいたときとしての擬似的設定）、その後、温度測定試験を行った。測定結果を図４と表２に示す。
【００３０】
【表２】
0003130472.tif 000004
【００３１】
試験条件３：屋外での使用を考慮し、２ｍ／ｓ程度の風を当てた状態で、夏用帽子を着用し、温度３５℃および湿度５０〜６０％（熱中症が発生しやすい危険領域）に設定し、霧吹きにて帽子および不織布部に水を１ｍｌ噴霧し（汗をかいたときとしての擬似的設定）、その後、温度試験を行った。測定結果を図５と表３に示す。
【００３２】
【表３】
0003130472.tif 000005
【図面の簡単な説明】
【００３３】
【図１】本考案の熱吸収パッド付帽子を説明するための説明図である。
【図２】図１の熱吸収パッド付帽子に適用された熱吸収パッドを示す断面説明図である。
【図３】温度試験結果を示すグラフである。
【図４】温度試験結果を示すグラフである。
【図５】温度試験結果を示すグラフである。
【図６】年齢別の頭周長とその分布を示すグラフである。
【符号の説明】
【００３４】
１    熱吸収パッド
１０  不織布
２０  多孔質体層
３０  粘着層
４０  剥離紙
Ｈ    帽子
【図１】
0003130472.tif 000006
【図２】
0003130472.tif 000007
【図３】
0003130472.tif 000008
【図４】
0003130472.tif 000009
【図５】
0003130472.tif 000010
【図６】
0003130472.tif 000011